(57)【要約】      （修正有）【課題】回転刃を後退可能にカバーで覆うにあたり、カバーが誤って後退しすぎて回転刃が露出し過ぎない回転工具のカバー安全取付構造を提供する。【解決手段】工具本体１の回転駆動部２により回転駆動される回転刄３の外周をカバー５で覆うに当たり、ばね８を介してカバー５を前後移動可能に装着するようにしたものであって、ストッパ３０をカバー５の可動範囲に介在させたものであって、カバー５に誤って外力が加わっても後退し過ぎて回転刃３が露出し過ぎることを防止し、安全性を確保できるようにする。【選択図】図１
0003132778.tif 000002
【実用新案登録請求の範囲】
【請求項１】
工具本体１の回転駆動部２により回転駆動される回転刄３の外周をカバー５で覆うに当たり、ばね８を介してカバー５を前後移動可能に装着するようにしたものであって、ストッパ３０をカバー５の可動範囲に介在させたことを特徴とする回転工具のカバー安全取付構造。
【考案の詳細な説明】
【技術分野】
【０００１】
本考案は回転刃の外周を覆うカバーをばねにより弾性的に支持してあり、作業時にカバーがばねに抗して後退することにより回転刃が作業部位にスムーズに当接し、作業性を高めた回転工具であって、カバーに異常な力が作用してカバーより回転刃が露出し過ぎて安全性を損なわないことを目的とした回転工具のカバー安全取付構造に関するものである。
【背景技術】
【０００２】
従来より、手持ち型のグラインダやサンダ等の回転工具は、円盤状の回転刃（研磨材）と、その回転刃を被覆するためのカバーとを有しており、例えば労働安全衛生法第１１７条において、上記カバーを作業中に使用することが義務付けられていて、このカバーにより使用時における安全性の向上を図っている。
【０００３】
ところがこのカバーは研削作業時には邪魔になるので、一般にこの種のサンダ、グラインダ等の回転工具では作業性の点から、バネによりカバーが後退可能に構成されている。
【０００４】
通常の場合、カバーは回転場が切削部位に当接して場合にそれまで転刃を覆っていたカバーがその動きに連動し、ばねに抗して後退する。その状態で回転刃が切削部位に当接して研磨や切削等が行われるようになっていて、回転する回転刃に手などが接触しないような安全装置として作用することになる。しかしながら切削部位周辺に突起物などがあってその突起物に乗り上げたりすると、カバーは回転刃に連動せず、独立して後退し、その結果、高速回転状態の回転刃がカバーから大きく露出する場合があり、その回転刃に手指や衣服の一部が触れると思わぬ怪我などに繋がる可能性があり、安全性が低下する惧れがあった。
【特許文献１】実開昭５９−８２６４６号公報
【考案の開示】
【考案が解決しようとする課題】
【０００５】
本考案は回転刃を覆うカバーが後退可能なものにおいて、カバーの後退の巾を制限して安全性を確保できる回転工具のカバー安全取付構造を提供するものである。
【課題を解決するための手段】
【０００６】
本考案の主たる特徴は、工具本体１の回転駆動部２により回転駆動される回転刄３の外周をカバー５で覆うに当たり、ばね８を介してそのカバー４を前後移動可能に装着するようにしたものであって、カバー５の稼動範囲にストッパ３０を設けてカバー５の可動巾を制限するようにしたことである。
【考案の効果】
【０００７】
本考案にあっては上述のように、工具本体１の回転駆動部２により回転駆動される回転刄３の外周をカバー５で覆うに当たり、カバー４を前後移動可能に装着するようにしたものであって、カバー５の稼動範囲にストッパ３０を装着してあるので、カバー５のストロークを制限し、高速回転する回転刃３が誤ってカバー５より露出することを抑制し、安全性を確保できるものである。
【考案を実施するための最良の形態】
【０００８】
以下本考案を添付図面に基づき詳細に説明する。 図１に示すように、本考案は、工具本体１のモータのような回転駆動部２により周知の直結又は伝動により回転刃３が回転駆動されるもので、筒状ブッシュ６より突出した駆動軸４に回転刄３がチャックなどで装着される。カバー５はその筒状ブッシュ６に装着される。そしてこのカバー５は回転刃３の駆動軸４と同軸のバネ８にて外方に弾発されていて、常時は回転刃３が露出しないように覆っている。このバネ８はコイルバネ、渦巻きバネのいずれでも良い。
【０００９】
回転刃３は、グラインダやサンダのようなディスク状のもの、円鋸等であり、その外周がカバー５で覆われるものであるが、一部は欠如され、その欠如部分から回転刃３の一部が外部に突出し、研削に供される。勿論このカバー５は、使用時のみ欠如部分が生ずるように図外開閉扉で覆っても良い。
【００１０】
ブラケット７は、中央に挿通口９が開口していて、その挿通口９の縁半分ほどに半円筒状の保持部１０が突設されていて、挿通口９より上から垂下する筒状ブッシュ６を保持部１０に押し当て、それを半弧状のバンド１１で固定する。ここで１９は保持部１０の取付片、２０はバンド１１の取付片で、それぞれの取付孔２１、２２を用い、ネジ２３とナット２４で締結される。
【００１１】
カバー５には適所に立設されたボルト１４に被せられたガイドピン１３がブラケット７にスライド自在に連結され、バネ８がカバー５上面とブラケット７下面との間に挟持されて、カバー５はバネ８に抗して上方に逃げることができるようになっている。１５はボルトに１４に螺着されるナットである。１６はストッパリング、１７はグリップである。１８はガイドピン１３のスライド自在に挿通されるガイド孔である。また、必要に応じてカバー５の中心部からダクトを介してダストを吸引除去できるようにしておくこともできる。
【００１２】
このカバー５のブラケット７と対向する部位にストッパ３０が装着される。図示例では金属片を折曲して形成され、溶接或いはビスで装着するようにしてある。ストッパ３０はカバー５のストロークに対応して高さを適宜調整することができる。尚、ストッパ３０は逆に工具本体１のハウジング又はブラケット７の応答個所に設けても構わない。また、ストッパ３０はブロック状、突起、ねじ式の物等任意に設定できる。また、ストッパ３０の高さもカバー３のストロークに応じて適宜の寸法に種々変更できる。
【００１３】
（作用の説明）
通常、カバー５は回転刃３が切削部位に当接することに追随して後退するだけで、カバー５は回転刃３以上には単独では後退せず、問題なく安全に使用できるが、カバー５に周辺の突起物などの何らかの障害物に引っ掛かるなどして直接力が加わった場合、ストッパ３０がないと図３のようにカバー５が大きく後退して、高速回転する回転刃３の外周刃部位が大きく露出して安全性の点で問題があった。
【００１４】
本考案は、図４のようにカバー５に回転刃３を作業者が押し付ける力以外の別の要因で別途力が加わって後退しようとしても、ストッパ３０でその動きが制限されて回転刃３はカバー５より露出することがない。
【産業上の利用可能性】
【００１５】
本考案にあっては、カバー５をばね８で弾性的に保持して後退可能とし、作業性を高めたものであって、通常は必要に応じてカバー５が後退し、高速回転する回転刃３により所定の部分をスムーズに切削したり研磨したりすることができ、しかも回転刃３の押し付ける力以外の突発的な要因でカバー５に後退しようとする力が加わっても、その可動範囲を制限し、誤って回転刃３がカバー５より露出することを防止し、高速回転する回転刃３による事故発生を防止し、安全性を向上させたものである。
【図面の簡単な説明】
【００１６】
【図１】本考案の一実施例の概略分解斜視図。
【図２】同上の概略縦断面図。
【図３】従来例の作用説明図。
【図４】本発明の作用説明図。
【符号の説明】
【００１７】
１  工具本体
２  駆動部
３  回転刃
４  回転軸
５  カバー
３０  ストッパ
【図１】
0003132778.tif 000003
【図２】
0003132778.tif 000004
【図３】
0003132778.tif 000005
【図４】
0003132778.tif 000006